(57)【特許請求の範囲】
【請求項１】
脚構造体に支持された高さの異なる複数の段床を具備し、これら段床が、雛壇状となる使用位置と上下に重合する収納位置との間で、支持床面上をそれぞれ進退移動し得るように構成し、脚構造体が、各段床の幅方向に沿って間欠的に複数設けられているものであって、
前記脚構造体に、一対の回転輪とこれら回転輪間に巻き掛けられた履帯とを具備して前記支持床面上を転がり動く無限軌道機構を設けたものであるとともに、
脚構造体が下端部に前後に延びるベースを具備するとともにこのベースが少なくとも左右一対の側板を具備し、無限軌道機構が、ベースの前部及び後部にそれぞれ設けられているとともにこのベースの左右側板間に配置され、
無限軌道機構が、長手方向を前後方向に一致させて互いに離間配置した一対の遥動要素からなるとともに中間部を脚構造体に回動可能に支持されて前端部と後端部とを互いに逆向きに上下動させ得るように構成してなる遥動体を具備し、この遥動体の前記各遥動要素の前端部間及び後端部間に前記回転輪をそれぞれ回転可能に支持させて該回転輪を各遥動要素間に挟ませるようにして配置し、
前記遥動体を、支軸によりベースの両側板に回動可能に支持させていることを特徴とする移動観覧席。
【請求項２】
無限軌道機構が、その前端部と後端部とを互いに逆向きに上下動させて遥動し得るように構成してある請求項１記載の移動観覧席。
【請求項３】
無限軌道機構が、前記ベースの前端部及び後端部にそれぞれ設けられている請求項１又は２記載の移動観覧席。
【請求項４】
無限軌道機構が、回転輪間に配置されて履帯の接地すべき部分に上方から接触し、この接地部分の上動を抑制する補助回転輪を具備したものである請求項１、２又は３記載の移動観覧席。
【請求項５】
無限軌道機構が、自ら駆動力を発揮しないものである請求項１、２、３又は４記載の移動観覧席。
【発明の詳細な説明】
【０００１】
【発明の属する技術分野】
本発明は、高さの異なる複数の段床を具備し、これら段床が、雛壇状となる使用位置と上下に重合する収納位置との間で進退移動し得るように構成してなる移動観覧席に関する。
【０００２】
【従来の技術】
この種の移動観覧席は、不使用時には各段床を上下に重合させて、収納することができるという機動性を有するため、多目的ホールや劇場、或いは体育館等に好適に用いられている。
【０００３】
しかして従来、各段床を展開又は重合させるために、段床を支える脚構造体に車輪を取り付け、この車輪が支持床面上を転がることにより、段床が滑らかに進退できるようにしている。
【０００４】
【発明が解決しようとする課題】
ところが、車輪が支持床面上を転がるようにしたものであると、車輪の接地面積が小さいことから、支持床面に大きな集中荷重が作用し、例えば支持床面が、カーペットや人工芝等を敷いてなるものや、表面の硬さの比較的小さいものであると、車輪の転がった部分に凹みが生じたり、支持床面の表面に傷がつくおそれがある。
【０００５】
一方、段床の進退に連動させて、矩形短冊状剛性板材の相互をヒンジ連結してなる敷板を繰り出し、その敷板上を車輪が転動するように構成したものも知られている。このものは、敷板が緩衝材の役目を果たし、支持床面に集中荷重が作用することを防止できる。
【０００６】
しかしながら、このようなものでは敷板を、段床の進退に連動させて繰り出したり引き込んだりするための機構が別途必要となり、しかもこのような機構は複雑なものとなりやすいため、コスト面や製作面において不利となる。さらに、敷板は、強度面からある程度の厚みが必要であるため、高さの関係上、最下段の段床を敷板上に載せることはできない。したがって、最下段の段床については、やはり車輪が支持床面上を直接転がることとなり、支持床面に転動跡が残るという不具合を完全には解消できない。
【０００７】
【課題を解決するための手段】
本発明は、かかる点に鑑みてなされたものであって、脚構造体に無限軌道機構を設け、この無限軌道機構が支持床面上を直接転がり動くように構成し、支持床面に集中荷重が作用することを簡単な構成で防止できるように図ったものである。
【０００８】
【発明の実施の形態】
すなわち、本発明に係る移動観覧席は、脚構造体に支持された高さの異なる複数の段床を具備し、これら段床が、雛壇状となる使用位置と上下に重合する収納位置との間で、支持床面上をそれぞれ進退移動し得るように構成し、脚構造体が、各段床の幅方向に沿って間欠的に複数設けられているものであって、前記脚構造体に、一対の回転輪とこれら回転輪間に巻き掛けられた履帯とを具備して前記支持床面上を転がり動く無限軌道機構を設けたものであるとともに、脚構造体が下端部に前後に延びるベースを具備するとともにこのベースが少なくとも左右一対の側板を具備し、無限軌道機構が、ベースの前部及び後部にそれぞれ設けられているとともにこのベースの左右側板間に配置され、無限軌道機構が、長手方向を前後方向に一致させて互いに離間配置した一対の遥動要素からなるとともに中間部を脚構造体に回動可能に支持されて前端部と後端部とを互いに逆向きに上下動させ得るように構成してなる遥動体を具備し、この遥動体の前記各遥動要素の前端部間及び後端部間に前記回転輪をそれぞれ回転可能に支持させて該回転輪を各遥動要素間に挟ませるようにして配置し、前記遥動体を、支軸によりベースの両側板に回動可能に支持させていることを特徴とする。
【０００９】
このようなものであれば、履帯の下部が支持床面に面接触するので、従来の車輪タイプのもののように、段床等の荷重が支持床面に集中して作用することがない。
【００１０】
しかも、構造的には、既存の車輪タイプのものと大きく変わらないので、製作の難易度が上がったり大幅なコストアップを招くことがないうえ、既存のものの部分的な改造により実現可能であるなどの効果を奏し得る。
【００１１】
また、無限軌道機構が、中間部を脚構造体に回動可能に支持されて前端部と後端部とを互いに逆向きに上下動させ得るように構成してなる遥動体を具備し、この遥動体の前端部及び後端部に前記回転輪をそれぞれ回転可能に支持させたので、床の不陸に好適に対応することができる。
【００１２】
さらに、ベースが少なくとも左右一対の側板を具備するものであって、無限軌道機構をこのベースの左右側板間に配置しているので、収納時において各段床を支持する脚構造体同士が幅方向に並ぶ際に、各脚構造体に設けた無限軌道機構同士が干渉するのを防止し、しかも脚構造体同士はできるだけ近接できるようにして、脚構造体の幅方向の配置位置に無理が生じないようにすることができる。
【００１３】
床の不陸に好適に対応するには、無限軌道機構が、その前端部と後端部とを互いに逆向きに上下動させて遥動し得るように構成してあるものが好ましい。
【００１４】
一の脚構造体に複数の無限軌道機構を設けて、荷重分散をより顕著にするには、脚構造体が下端部に前後に延びるベースを具備するものであって、無限軌道機構が、ベースの前端部及び後端部にそれぞれ設けられているものが望ましい。
【００１５】
一の脚構造体に複数の無限軌道機構を設けて、荷重分散をより顕著にするには、脚構造体が下端部に前後に延びるベースを具備するものであって、無限軌道機構が、ベースの前端部及び後端部にそれぞれ設けられているものが望ましい。
【００１６】
一の脚構造体に複数の無限軌道機構を設けて、荷重分散をより顕著にするには、脚構造体が下端部に前後に延びるベースを具備するものであって、無限軌道機構が、ベースの前端部及び後端部にそれぞれ設けられているものが望ましい。
【００１７】
【実施例】
以下、本発明の一実施例を、図１〜図６を参照して説明する。
【００１８】
図１及び図２は、それぞれ展開状態及び収納状態にある本実施例の移動観覧席１を幅方向中央部付近で破断して示す全体右側断面である。この移動観覧席１は、互いに高さの異なる段床２をそれぞれ前後移動可能な複数の脚構造体３により支持してなるものであり、これら各段床２を、図１に示すように前方に進出させて雛段状に展開した使用位置Ｐと、図２に示すように後方に退避させて収納空間Ｓに重合状態で収納するようにした収納位置Ｑとの間で伸縮可能に構成してなるものである。しかして、各脚構造体３を収納位置Ｑまで後退させた場合に、これら各脚構造体３が左右方向に重合するとともに各段床２が上下方向に重合配置されるように構成している。なお、脚構造体３を進退させる駆動系等は従来のものと同様であるため説明を省略する。
【００１９】
脚構造体３は、椅子２４を省略した後方斜視図である図３に示すように、前記段床２の外側の両端部近傍及び中間部の適宜箇所を支持している。この脚構造体３は、図３及び図４に示すように、ベース３１と、このベース３１の後端部からに一体的に起立させたポスト３２と、このポスト３２の上端やや下方から前方に延ばして段床２の荷重を支持するサポートアーム３３とを具備してなる側面視概略コ字形をなすものである。このような脚構造体３は、後段の段床２を支えるものほど背丈が高くなるように設定されており、各脚構造体３の上端にローラＲを軸着し、このローラＲで真上に位置する次段のサポートアーム３３を転接支持するようにしている。
【００２０】
段床２は、前記サポートアーム３３の先端３３ａ間を連結するフロントビーム２１と、前記ポスト３２の上端近傍の適宜位置に配設されポスト３２間を連結するリヤビーム２２と、これらフロントビーム２１及びリヤビーム２２の間に位置させてサポートアーム３３上に載設された床材２３とを具備してなるものである。しかして、各段床２には、図１及び図２に示すように、例えば、図示しない駆動軸によって起倒動作可能に支持された椅子２４が配設してあり、段床２を図１に示す使用位置Ｐに展開したときに起立位置に保持し、段床２を図２に示す収納位置Ｑに退避させたときに段床２の上面に折り畳んだ倒伏位置に保持するようにしている。
【００２１】
このような構成の移動観覧席１において、本実施例では、図３〜図６に示すように、前記ベース３１に無限軌道機構４を設けて、この無限軌道機構４が支持床面Ｆに接地、転動するようにしている。なお、本実施例において、各無限軌道機構４には駆動手段を設けておらず、自ら駆動力を発揮しない。
【００２２】
無限軌道機構４は、ベース３１に回動可能に支持され前端部と後端部とを互いに逆向きに上下動させ得る遥動体４３と、この遥動体４３の前端部及び後端部にそれぞれ回転可能に支持させた一対の回転輪４１と、これら回転輪４１間に巻き掛けた履帯４２とを具備するものであり、ベース３１の側板３１ａ、３１ｂ間であってその前端部及び後端部にそれぞれ設けてある。
【００２３】
各部を詳述すると、遥動体４３は、矩形板状をなし長手方向を前後方向に一致させて互いに離間配置した一対の遥動要素４３ａ、４３ｂからなる。各遥動要素４３ａ、４３ｂは、その中間上端部を支軸Ｓ１によりベース側板３１ａ、３１ｂに回動可能に支持させてある。
【００２４】
回転輪４１は、その周囲に履帯４２に噛合う噛合歯４１ａを定間隔で複数設けてなるドラム状のものである。そして、前記各遥動要素４３ａ、４３ｂの前端部間及び後端部間に架け渡した支軸Ｓ２にそれぞれ回転可能に支持させて、これら各遥動要素４３ａ、４３ｂ間に挟ませるようにして配置してある。
【００２５】
履帯４２は、キャタピラと称されるものあり、左右に長い矩形短冊状の剛性板４２ａを互いにヒンジ連結して環状にしたものである。又、例えば各剛性板４２ａには、噛合歯４１ａに噛合う噛合凹部４２ｂが設けてある。
【００２６】
さらに回転輪４１間には、前記遥動体４３ａ、４３ｂに支軸Ｓ３を介して回転可能に支持させた一対の補助回転輪４４を設けており、これら補助回転輪４４が履帯４２の下部内周４２ｄに当たって、この履帯４２の接地部分４２ｃの上動を抑制するとともに、履帯４２の張力を保つように構成している。
【００２７】
したがって以上のような構成の本実施例によれば、履帯４２の下面４２ｃが支持床面Ｆに面接触し、段床２の荷重は分散されて支持床面Ｆに作用するため、支持床面Ｆに凹みや傷が残るといった不具合を可及的に防止することが可能になる。しかも、構造的には、既存の車輪タイプのものと大きく変わらないので、製作の難易度が上がったり大幅なコストアップを招くことがないうえ、既存のものの部分的な改造により実現可能であるなどの効果を奏し得る。さらに、各脚構造体３を構成するベース３１の前端部及び後端部にそれぞれ無限軌道機構４を設けているので、荷重分散効果をより顕著に発揮させることができる。
【００２８】
また、本実施例では、無限軌道機構４が、その前端部と後端部とを互いに逆向きに上下動させて遥動し得るように構成してあるため、図６に示すように支持床面Ｆに不陸があっても、その傾斜に合わせて無限軌道機構４の姿勢が変わって、履帯４２の下面を常に支持床面Ｆ３に面接触させておくことが可能になる。
【００２９】
さらに、無限軌道機構４を構成する補助回転輪４４が、履帯４２の接地すべき部分４２ｃの上動を抑制するため、履帯４２の下面４２ｃの略全面が常に支持床面Ｆに接触することが可能になる。したがって支持床面Ｆに集中荷重が作用することを、より確実に防止できる。
【００３０】
一方、このような荷重分散作用を営む無限軌道機構４が、ベース３１の左右側板３１ａ、３２ａ間に配置してあるため、収納位置Ｑにおいて、各段床２を支持する脚構造体３同士が幅方向に並ぶ際に、各脚構造体３に設けた無限軌道機構４同士が干渉するのを防止できる。しかも脚構造体３同士はできるだけ近接させ得るので、脚構造体３の幅方向の配置設定に無理が生じないようにすることができる。
【００３１】
なお、本発明は、上述した実施例に限られるものではない。例えば、各ベースに、その前端部から後端部に亘るような奥行き寸法の大きい無限駆動機構を一つ設けてもよいし、あるいは、荷重の配分具合によっては、荷重が多く作用する部位にのみ無限駆動機構を設け、他を車輪等で構成しても構わない。さらに、無限駆動機構をベースの外側に設けてもよい。
【００３２】
その他、本発明の趣旨を逸脱しない範囲で種々変形が可能である。
【００３３】
【発明の効果】
以上に詳述したように本発明によれば、履帯の下面が支持床面に面接触し、段床の荷重は分散されて支持床面に作用するため、支持床面に凹みや傷が残るといった不具合を可及的に防止することが可能になる。しかも、構造的には、既存の車輪タイプのものと大きく変わらないので、製作の難易度が上がったり大幅なコストアップを招くことがないうえ、既存のものの部分的な改造により実現可能であるなどの効果を奏し得る。
【００３４】
また、無限軌道機構が、中間部を脚構造体に回動可能に支持されて前端部と後端部とを互いに逆向きに上下動させ得るように構成してなる遥動体を具備し、この遥動体の前端部及び後端部に前記回転輪をそれぞれ回転可能に支持させたものであるので、簡単な構成で姿勢変更可能な無限軌道機構を実現することができる。
【００３５】
さらに、収納位置では、各段床を支持する脚構造体同士が幅方向に並ぶこととなるが、脚構造体を構成するベースが、少なくとも左右一対の側板を具備するものであって、無限軌道機構をこのベースの左右側板間に配置しているので、収納位置において、各脚構造体に設けた無限軌道機構同士が干渉するのを防止できる。しかも脚構造体同士はできるだけ近接できるようにして、脚構造体の幅方向の配置設定に無理が生じないようにすることができる。加えて、脚構造体が、各段床の幅方向に沿って間欠的に複数設けられているので、支持床面に対する荷重をさらに分散することができる。
【００３６】
無限軌道機構が、その前端部と後端部とを互いに逆向きに上下動させて遥動し得るように構成してあるものであれば、支持床面に不陸があっても、その傾斜に合わせて無限軌道機構の姿勢が変わるため、履帯の下面を常に支持床面に面接触させておくことが可能になる。
【００３７】
脚構造体が下端部に前後に延びるベースを具備するものであって、無限軌道機構が、ベースの前端部及び後端部にそれぞれ設けられているものであれば、一の脚構造体に複数の無限軌道機構を設けて、荷重分散効果をより顕著に発揮させることができる。
【００３８】
無限軌道機構が、回転輪間に配置されて履帯の接地すべき部分に上方から接触し、この接地部分の上動を抑制する補助回転輪を具備したものであれば、履帯の下面の略全面が常に支持床面に接触することが可能になり、より確実に集中荷重が作用するのを防止できる。
【００３９】
無限軌道機構が、自ら駆動力を発揮しないものであれば、支持床面に集中荷重を作用させないという目的を達成しつつ、構造簡単化や底コスト化を促進させることができる。
【図面の簡単な説明】
【図１】本発明の一実施例における移動観覧席の使用位置を示す概略側断面図。
【図２】同実施例における移動観覧席の収納位置を示す概略側断面図。
【図３】同実施例における移動観覧席の一部を示す後方斜視図。
【図４】同実施例における無限軌道機構を示す一部破断した側面図。
【図５】同実施例における無限軌道機構を示す縦断面図。
【図６】同実施例における無限軌道機構を示す一部破断した側面図。
【符号の説明】
１…移動観覧席
２…段床
３…脚構造体
３１…ベース
３１ａ、３１ｂ…側板
４…無限軌道機構
４１…回転輪
４２…履帯
４３…遥動体
４４…補助回転輪
Ｐ…使用位置
Ｑ…収納位置
Ｆ…支持床面
【図１】
0003698005.tif 000002
【図２】
0003698005.tif 000003
【図３】
0003698005.tif 000004
【図４】
0003698005.tif 000005
【図５】
0003698005.tif 000006
【図６】
0003698005.tif 000007